【誤訳訂正書】
【提出日】令和3年4月30日(2021.4.30)
【誤訳訂正１】
【訂正対象書類名】特許請求の範囲
【訂正対象項目名】全文
【訂正方法】変更
【訂正の内容】
【特許請求の範囲】
【請求項１】
患者の呼吸器系機能を分析するためのカプノメータにおいて、
患者の呼吸器系からの空気が通過する気流領域；
光を放射するように構成されたエミッタであって、３〜５μｍの範囲の波長の放射光を提供するように構成された中赤外半導体エミッタを含むエミッタ；
前記放射光を検出する検出器であって、中赤外半導体検出器を含む検出器；
前記患者に特異的な患者データを記憶するためのメモリ；及び
前記患者による吸気及び／又は呼気のＣＯ２レベルの経時的な変動を示すＣＯ２波形を分析するための、前記検出器に接続された信号プロセッサ；
を備え、
前記エミッタ及び検出器は、エミッタからの光が気流領域を通って検出器まで行くように配置されており、
呼吸器系機能の分析は、前記波形と、ベースラインを有するメトリックを規定する前記患者の１つまたは複数の以前得られたＣＯ２波形との比較に基づき、該比較は前記ベースラインからの前記波形の偏差をモニタリングすることを含み、
前記信号プロセッサはさらに、前記患者の疾患又は疾患の種類に関して呼吸器系機能を分析するために、前記患者の疾患又は疾患の種類に関してメトリックを作成するように構成され、かつ
前記信号プロセッサはさらに、前記波形に基づき経時的に前記メトリックを変更するように構成される、カプノメータ。
【請求項２】
前記患者データは分析アルゴリズムを含み、前記分析は、該分析アルゴリズムを用いて呼吸器系機能を分析することを含む、請求項１に記載のカプノメータ。
【請求項３】
前記患者データは患者の識別データを含み、該識別データは、識別コード、指紋データ、虹彩スキャンデータ、及び患者の呼吸プロファイルデータの内の１つまたは複数を含む、請求項１又は２に記載のカプノメータ。
【請求項４】
前記信号プロセッサは、ＣＯ２波形を規定するＣＯ２レベルデータ出力を提供するように構成され、前記ＣＯ２レベルデータ出力は、後の照合のために、前記メモリ又はカプノメータの内部若しくは外部の第２のメモリに記憶される、請求項１から３のいずれか一項に記載のカプノメータ。
【請求項５】
前記信号プロセッサは、前記波形の形状、前記波形の１つまたは複数のピーク高さ、前記波形の振幅又は振幅変動、及び前記波形の周波数構成の内の１つまたは複数に応答して呼吸器系機能を分析するように構成される、請求項１から４のいずれか一項に記載のカプノメータ。
【請求項６】
前記波形に基づき呼吸器系機能の質を表示する１つまたは複数のユーザインジケータデバイスと、前記呼吸器系機能の質の表示に応じて始動されるように構成されたアラーム及び／又はメッセンジャとをさらに備え、
前記プロセッサはさらに、前記呼吸器系機能の質に基づき治療的介入が必要なときを表示するように構成される、請求項１から５のいずれか一項に記載のカプノメータ。
【請求項７】
前記信号プロセッサが、前記波形から、
薬剤を服用した時点の第１の表示；
薬剤を服用すべき時点の第２の表示；
服用した薬剤の種類の第３の表示；
服用すべき薬剤の種類の第４の表示；
服用した用量の第５の表示；
服用すべき用量の第６の表示；及び
薬剤が失効した及び／又は使い切ったことの第７の表示；
の内の１つまたは複数を特定するように構成される、請求項１に記載のカプノメータ。
【請求項８】
前記特定に応答して薬剤の放出を制御するための薬剤調剤システムをさらに備え、該薬剤調剤システムは、薬剤を自動的に放出するように、及び／又は薬剤の種類及び／又は用量及び／又はそれを放出する時点を制御するように構成され、さらに
前記信号プロセッサはさらに、呼吸サイクル中のいつ薬剤を放出すべきかを特定するように構成される、請求項７に記載のカプノメータ。
【請求項９】
前記信号プロセッサはさらに、患者によるカプノメータの単回使用の間の経時的な前記波形の変化から、呼吸器系機能の状態の変動を特定するように構成される、請求項１から８のいずれか一項に記載のカプノメータ。
【請求項１０】
患者に健康状態データを入力させるための健康状態データ入力部をさらに備え、該健康状態データは患者の健康状態を記載し、
前記プロセッサはさらに、検出器の信号と組み合わせて前記健康状態データを処理して、患者に対する薬剤の効果を特定するように構成される、請求項１から９のいずれか一項に記載のカプノメータ。
【請求項１１】
前記信号プロセッサはさらに、ＣＯ２レベルデータ出力を用いて、患者がいつ薬剤を服用したか又は服用しなかったかのエピソードを同定するコンプライアンスデータを特定し、さらにそのコンプライアンスデータから服薬レジメンのコンプライアンスを特定するように構成され、
前記服薬レジメンのコンプライアンスの特定が、
患者がＣＯ２レベルデータ出力を得るためにカプノメータを使用したか否かを特定する；
前記波形に基づき、患者が薬剤を服用したか否かを特定する；
カプノメータの薬剤使用データ入力部で患者により提供された薬剤使用データに基づき、患者が薬剤を服用したか否かを特定する；及び
前記薬剤がカプノメータから調剤されたか否かを特定する；
ことの内の１つまたは複数を含む、請求項１から１０のいずれか一項に記載のカプノメータ
【請求項１２】
請求項１から１１のいずれか一項に記載のカプノメータを含む吸入器。
【請求項１３】
システムであって、
請求項１から１１のいずれか一項に記載のカプノメータ又は請求項１２に記載の吸入器；及び
前記カプノメータと通信する分析システム；
を備え、
前記分析システムは、患者データを記憶する分析システムメモリを備え；さらに
前記分析システムは、
ｉ）前記信号プロセッサによるＣＯ２波形の分析に基づき分析アルゴリズムを修正する；及び／又は
ｉｉ）前記信号プロセッサによるＣＯ２波形の分析に基づきカプノメータのインジケータのインジケータ設定を修正し、インジケータは呼吸器系機能の質を表示する；及び／又は
ｉｉｉ）前記信号プロセッサによるＣＯ２波形の分析に基づき、カプノメータを用いて調剤される薬剤の用量レベルを変更する；
ように構成され、
前記分析システムはさらに、修正分析アルゴリズム及び／又は修正インジケータ設定及び／又は変更用量レベルを、カプノメータのメモリに記憶するためにカプノメータに転送するように構成される、システム。
【請求項１４】
前記分析システムメモリに記憶されるデータは、さらなる患者に特異的な患者データをさらに含み、分析アルゴリズムの修正及び／又はインジケータ設定の修正及び／又は用量レベルの変更は、前記さらなる患者に特異的な患者データにさらに依存する、請求項１３に記載のシステム。
【請求項１５】
患者の服薬レジメンのコンプライアンスをモニタリングする方法であって、
請求項１から１１のいずれか一項に記載のカプノメータを用いて、患者の呼気中のＣＯ２レベルをモニタリングするステップ；
前記モニタリングからのデータを記憶するステップ；及び
前記記憶されたデータを用いて薬剤がいつ服用されたか又は服用されなかったかのエピソードを同定するコンプライアンスデータを特定するステップ；
を含み、前記コンプライアンスデータから服薬レジメンのコンプライアンスが特定される、方法。
【請求項１６】
前記コンプライアンスデータにより、服用された用量がさらに同定される、請求項１５に記載の方法。
【誤訳訂正２】
【訂正対象書類名】明細書
【訂正対象項目名】００４６
【訂正方法】変更
【訂正の内容】
【００４６】
カプノメータの好ましい実施形態では、１つまたは複数の以前得られた波形は、ベースライン（例えば１００％）を有するメトリック（metric）を規定し、比較は、ベースラインからの波形の偏差を検出又はモニタリングすることを含む。
【誤訳訂正３】
【訂正対象書類名】明細書
【訂正対象項目名】００４７
【訂正方法】変更
【訂正の内容】
【００４７】
患者が有する疾患又は疾患の種類に特異的にメトリックが作成された場合、患者の呼吸器系機能をより正確に分析することができる。従って、カプノメータの好ましい実施形態では、信号プロセッサはさらに、患者の疾患又は疾患の種類に関して患者の呼吸器系機能を分析するために、患者の疾患又は疾患の種類に関してメトリックを作成（develop）するように構成される。
【誤訳訂正４】
【訂正対象書類名】明細書
【訂正対象項目名】００４８
【訂正方法】変更
【訂正の内容】
【００４８】
患者自身のためのみならず、加えて又は代わりに１人以上の異なる患者のために以前得られた１つまたは複数の波形に基づき作成されたメトリックに基づき、特定の疾患又は疾患の種類に関して波形が分析されうることが理解されるであろう。
【誤訳訂正５】
【訂正対象書類名】明細書
【訂正対象項目名】００４９
【訂正方法】変更
【訂正の内容】
【００４９】
長時間にわたり得られた波形に基づき、時間と共にメトリックを改作（adapt）することが好ましいであろう。従って、好ましい実施形態では、信号プロセッサはさらに、波形に基づき経時的にメトリックを変更するように構成される。経時的にメトリックを変更することにより、それ自体経時的に変化する患者の呼吸器系機能のより正確な分析が可能となるであろう。
【誤訳訂正６】
【訂正対象書類名】明細書
【訂正対象項目名】００５９
【訂正方法】変更
【訂正の内容】
【００５９】
薬剤が患者に効果を有するか否か及びどの程度の効果を有するかの特定に加えて又はその代わりに、健康状態データを、本明細書を通して概説するカプノメータの実施形態に関連して記載される他の分析のための入力として用いてもよい。例えば、患者特異的データとして、及び／又は識別データ（それは、健康状態データにおけるパターンに基づき患者を識別できるように過去のデータを得ることが必要となりうる）及び／又は服薬レジメンのコンプライアンスに関する入力として、及び／又は波形の形状及び／又はピーク高さ及び／又は振幅及び／又は周波数構成の間の相関性を特定することを可能にする入力として、及び／又はアラーム及び／又はメッセンジャを始動させるための入力として、及び／又はいつ治療的介入が必要であるかに関する入力として、及び／又はメトリックを規定する及び／又は修正するための入力として、及び／又は上記の第１〜第７の表示の１つまたは複数、及び／又は薬剤の自動放出、及び／又はその用量、及び／又はその調剤の時間（例えば、日付及び時刻、或いは呼吸サイクル中のいつであるか）に関する入力として、健康状態データを使用してよい。
【誤訳訂正７】
【訂正対象書類名】明細書
【訂正対象項目名】０２３６
【訂正方法】変更
【訂正の内容】
【０２３６】
おそらく多くの他の有効な代替案が当業者に考え付くであろう。本発明は、記載の実施形態に限定されず、当業者に明白でありかつ添付の特許請求の範囲の精神及び範囲内にある変更及び修正を包含することを理解されたい。
最後に、本発明の好ましい実施態様を項分け記載する。
［実施態様１］
患者の呼吸器系機能を分析するためのカプノメータであって、
前記患者に特異的な患者データを記憶するためのメモリ；及び
前記患者による吸気及び／又は呼気のＣＯ２レベルの経時的な変動を示すＣＯ２波形を分析するための信号プロセッサ；
を備えるカプノメータ。
［実施態様２］
前記患者データは分析アルゴリズムを含み、前記分析は、該分析アルゴリズムを用いて呼吸器系機能を分析することを含む、実施態様１に記載のカプノメータ。
［実施態様３］
前記患者データは前記患者の識別データを含む、実施態様１又は２に記載のカプノメータ。
［実施態様４］
前記識別データは、識別コード、指紋データ、虹彩スキャンデータ及び患者呼吸プロファイルデータの内の１つまたは複数を含む、実施態様３に記載のカプノメータ。
［実施態様５］
外部の個人用デバイスから前記識別データを受信する、実施態様３又は４に記載のカプノメータ。
［実施態様６］
前記カプノメータと前記外部の個人用デバイスとの間の距離が閾値未満である場合にのみ、前記外部の個人用デバイスから前記識別データを受信する、実施態様５に記載のカプノメータ。
［実施態様７］
前記メモリに記憶するために識別データを受信するように構成された識別データ入力部をさらに備える、実施態様３から６のいずれかに記載のカプノメータ。
［実施態様８］
前記識別データが第１識別子と一致する場合にのみ、前記患者がカプノメータにアクセスできる、実施態様７に記載のカプノメータ。
［実施態様９］
前記第１識別子は前記メモリに記憶される、実施態様８に記載のカプノメータ。
［実施態様１０］
前記第１識別子はカプノメータの外部に記憶される、実施態様８に記載のカプノメータ。
［実施態様１１］
前記信号プロセッサは、ＣＯ２波形を規定するＣＯ２レベルデータ出力を提供するように構成され、前記ＣＯ２レベルデータ出力は、後の照合のために、前記メモリ又はカプノメータの内部又は外部の第２のメモリに記憶される、実施態様１から１０のいずれかに記載のカプノメータ。
［実施態様１２］
前記第２のメモリは、第１の期間後に定期的に自動で書き換えられる、実施態様１１に記載のカプノメータ。
［実施態様１３］
データを送信及び／又は受信するための第１のデータ通信リンクをさらに備える、実施態様１から１２のいずれかに記載のカプノメータ。
［実施態様１４］
前記ＣＯ２波形を含むデータが、前記第１のデータ通信リンクを介して第１の外部記憶システムに送られる、実施態様１３に記載のカプノメータ。
［実施態様１５］
前記信号プロセッサは、波形の形状、波形の１つまたは複数のピーク高さ、波形の振幅又は振幅変動、及び波形の周波数構成の内の１つまたは複数に応答して呼吸器系機能を分析するように構成される、実施態様１から１４のいずれかに記載のカプノメータ。
［実施態様１６］
患者の呼吸器系からの空気が通過する気流領域；
光を放射するように構成されたエミッタ；
前記放射された光を検出する検出器；
を備え、前記エミッタ及び検出器は、エミッタからの光が気流領域を通って検出器まで行くように配置され；
前記信号プロセッサは前記検出器に接続されて前記ＣＯ２波形を分析する、実施態様１から１５のいずれかに記載のカプノメータ。
［実施態様１７］
前記エミッタは、２つ以上の異なる波長の光を提供するように構成され、かつ前記検出器は、前記信号プロセッサが呼吸器系機能を分析するために前記２つ以上の異なる波長を検出するように構成される、実施態様１６に記載のカプノメータ。
［実施態様１８］
前記エミッタは、３〜５μｍの範囲内の波長の放射光を提供するように構成された中赤外半導体エミッタを含み；及び
前記検出器は、中赤外半導体検出器を含む、実施態様１６又は１７に記載のカプノメータ。
［実施態様１９］
１つまたは複数のユーザインジケータデバイスをさらに備え、前記波形に基づき、該ユーザインジケータデバイスは呼吸器系機能の質を表示する、実施態様１から１８のいずれかに記載のカプノメータ。
［実施態様２０］
前記呼吸器系機能の質の表示に応じて始動されるように構成されたアラーム及び／又はメッセンジャをさらに備える、実施態様１９に記載のカプノメータ。
［実施態様２１］
前記プロセッサはさらに、前記呼吸器系機能の質に基づき治療的介入が必要なときを表示するように構成される、実施態様１９又は２０に記載のカプノメータ。
［実施態様２２］
患者の呼吸器系機能を分析するためのカプノメータ、特に上記実施態様のいずれかに記載のカプノメータであって、前記患者による吸気及び／又は呼気のＣＯ２レベルの経時的な変動を表すＣＯ２波形を分析するように構成された信号プロセッサを備え、前記呼吸器系機能の分析が、前記波形と前記患者の１つまたは複数の以前得られた波形との比較に基づく、カプノメータ。
［実施態様２３］
前記１つまたは複数の以前得られた波形は、ベースラインを有するメトリックを規定し、前記比較は、前記ベースラインからの波形の偏差をモニタリングすることを含む、実施態様２２に記載のカプノメータ。
［実施態様２４］
前記信号プロセッサはさらに、前記患者の疾患又は疾患の種類に関して患者呼吸器系機能を分析するために、前記患者の疾患又は疾患の種類に関してメトリックを作成するように構成される、実施態様２３に記載のカプノメータ。
［実施態様２５］
前記信号プロセッサはさらに、波形に基づき経時的に前記メトリックを変更するように構成される。実施態様２３又は２４に記載のカプノメータ。
［実施態様２６］
患者の呼吸器系機能を分析するためのカプノメータ、特に上記実施態様のいずれかに記載のカプノメータであって、カプノメータのユーザによる吸気及び／又は呼気のＣＯ２レベルの経時的な変動を表すＣＯ２波形を分析するように構成された信号プロセッサを備え、該信号プロセッサは、前記波形から、
薬剤を服用した時点の第１の表示；
薬剤を服用すべき時点の第２の表示；
服用した薬剤の種類の第３の表示；
服用すべき薬剤の種類の第４の表示；
服用した用量の第５の表示；
服用すべき用量の第６の表示；及び
薬剤が失効した及び／又は使い切ったことの第７の表示；
の内の１つまたは複数を特定するように構成される、カプノメータ。
［実施態様２７］
前記特定に応答して薬剤の放出を制御するための薬剤調剤システムをさらに備える、実施態様２６に記載のカプノメータ。
［実施態様２８］
前記薬剤調剤システムは、薬剤を自動的に放出する、及び／又は薬剤の種類及び／又は用量及び／又はそれを放出する時点を制御するように構成される、実施態様２７に記載のカプノメータ。
［実施態様２９］
前記信号プロセッサは、呼吸サイクル中のいつ薬剤を放出すべきかを特定するように構成される、実施態様２６、２７又は２８に記載のカプノメータ。
［実施態様３０］
前記信号プロセッサはさらに、患者によるカプノメータの単回の使用中の経時的な波形の変化から、呼吸器系機能の状態の変動を特定するように構成される、実施態様１から２９のいずれかに記載のカプノメータ。
［実施態様３１］
前記患者に健康状態データを入力させるための健康状態データ入力部をさらに備え、前記健康状態データは患者の健康状態を記載する、実施態様１から３０のいずれかに記載のカプノメータ。
［実施態様３２］
前記プロセッサはさらに、検出器の信号と組み合わせて前記健康状態データを処理して、患者に対する前記薬剤の効果を特定するように構成される、実施態様３１に記載のカプノメータ。
［実施態様３３］
患者の呼吸器系機能を分析するためのカプノメータ、特に上記実施態様のいずれかに記載のカプノメータであって、
カプノメータのユーザによる吸気及び／又は呼気のＣＯ２レベルの経時的な変動を表すＣＯ２波形を分析し、さらにその波形を規定するＣＯ２レベルデータ出力を提供するように構成された信号プロセッサを備え、
前記信号プロセッサはさらに、前記ＣＯ２レベルデータ出力を用いて、いつ薬剤が服用されたか又はされなかったかのエピソードを同定するコンプライアンスデータを特定し、さらにそのコンプライアンスデータから服薬レジメンのコンプライアンスを特定するように構成される、カプノメータ。
［実施態様３４］
カプノメータ、特に上記実施態様のいずれかに記載のカプノメータであって、カプノメータのユーザによる吸気及び／又は呼気のＣＯ２レベルの経時的な変動を表す波形を規定するＣＯ２レベルデータ出力を提供するように構成された信号プロセッサを備え、
前記信号プロセッサはさらに、前記ＣＯ２レベルデータ出力を用いて、いつ薬剤が服用されたか又はされなかったかのエピソードを同定するコンプライアンスデータを特定し、さらにそのコンプライアンスデータから服薬レジメンのコンプライアンスを特定するように構成され、前記服薬レジメンのコンプライアンスの特定が、
患者がカプノメータを使用してＣＯ２レベルデータ出力を得るか否かを特定する；
波形に基づき、患者が薬剤を服用するか否かを特定する；
カプノメータの薬剤使用データ入力部で患者により提供された薬剤使用データに基づき、患者が薬剤を服用するか否かを特定する；及び
前記薬剤がカプノメータから調剤されたか否かを特定する；
ことの内の１つまたは複数を含む、カプノメータ
［実施態様３５］
データを送信及び／又は受信するためのデータ通信リンクをさらに備え、前記コンプライアンスデータは、前記データ通信リンクを介して外部記憶デバイスに送られる、実施態様３３又は３４に記載のカプノメータ。
［実施態様３６］
前記コンプライアンスデータはさらに、服用された用量を同定する、実施態様３３から３５のいずれかに記載のカプノメータ。
［実施態様３７］
前記コンプライアンスデータに応じて始動されるように構成されたアラーム及び／又はメッセンジャをさらに備える、実施態様３３から３６のいずれかに記載のカプノメータ。
［実施態様３８］
患者の呼吸器系からの空気が通過するカプノメータの気流領域における気流量を測定するための流量センサをさらに備え、前記信号プロセッサはさらに、測定された気流量に基づき前記気流領域におけるＣＯ２流量を特定するように構成される、実施態様１から３７のいずれかに記載のカプノメータ。
［実施態様３９］
前記流量センサは複数の圧力センサを備える、実施態様３８に記載のカプノメータ。
［実施態様４０］
前記信号プロセッサはさらに、ＣＯ２波形を規定するＣＯ２レベルデータ出力から患者の身元を特定するように構成される、実施態様１から３９のいずれかに記載のカプノメータ。
［実施態様４１］
患者の呼吸速度をモニタリングしかつ呼吸速度データを出力するための呼吸速度システムをさらに備え、前記信号プロセッサはさらに、前記呼吸速度データを処理するように構成される、実施態様１から４０のいずれかに記載のカプノメータ。
［実施態様４２］
カプノメータの健康状態データ入力部で入力された患者による自己評価に応答して始動されるように構成されたアラーム及び／又はメッセンジャをさらに備え、アラーム及び／又はメッセージは、データ通信リンクを介して患者の総合診療医（ＧＰ）又は介護者に送られる、実施態様１から４１のいずれかに記載のカプノメータ。
［実施態様４３］
カプノメータの気流領域における空気の温度を測定するための温度計をさらに備える、実施態様１から４２のいずれかに記載のカプノメータ。
［実施態様４４］
カプノメータの周囲の空気の気圧を測定するための気圧センサをさらに備える。実施態様１から４３のいずれかに記載のカプノメータ。
［実施態様４５］
カプノメータの位置を特定するための位置センサをさらに備える、実施態様１から４４のいずれかに記載のカプノメータ。
［実施態様４６］
実施態様１から４５のいずれかに記載のカプノメータを含む吸入器。
［実施態様４７］
システムであって、
実施態様１から４５のいずれかに記載のカプノメータ又は実施態様４６に記載の吸入器；及び
前記カプノメータと通信する分析システム；
を備え、
前記分析システムは、患者データを記憶する分析システムメモリを備え；さらに
前記分析システムは、
ｉ）前記信号プロセッサによるＣＯ２波形の分析に基づき分析アルゴリズムを修正する；及び／又は
ｉｉ）前記信号プロセッサによるＣＯ２波形の分析に基づきカプノメータのインジケータのインジケータ設定を修正し、ここでインジケータは呼吸器系機能の質を表示する；及び／又は
ｉｉｉ）前記信号プロセッサによるＣＯ２波形の分析に基づき、カプノメータを用いて調剤される薬剤の用量レベルを変更する；
ように構成され、
前記分析システムはさらに、修正分析アルゴリズム及び／又は修正インジケータ設定及び／又は変更用量レベルを、カプノメータのメモリに記憶するためにカプノメータに転送するように構成される、システム。
［実施態様４８］
前記分析システムメモリに記憶されたデータは、さらなる患者に特異的な患者データをさらに含み、分析アルゴリズムの修正及び／又はインジケータ設定の修正及び／又は用量レベルの変更は、前記さらなる患者に特異的な患者データにさらに従属する、実施態様４７に記載のシステム。
［実施態様４９］
服薬レジメンの患者のコンプライアンスをモニタリングする方法であって、
カプノメータ、特に実施態様１から４５のいずれかに記載のカプノメータを用いて、患者の呼気中のＣＯ２レベルをモニタリングするステップ；
前記モニタリングからのデータを記憶するステップ；
前記記憶されたデータを用いて薬剤がいつ服用された又は服用されなかったかのエピソードを同定するコンプライアンスデータを特定するステップ；及び
前記コンプライアンスデータから服薬レジメンのコンプライアンスを特定するステップ；
を含む方法。
［実施態様５０］
前記コンプライアンスデータはさらに、服用された用量を同定する、実施態様４９に記載の方法。
［実施態様５１］
前記カプノメータから離れたメモリに、データ通信リンクを介して前記コンプライアンスデータを送信するステップをさらに含む、実施態様４９又は５０に記載の方法。
［実施態様５２］
前記コンプライアンスデータに応じてアラーム及び／又はメッセージを始動させるステップをさらに含む、実施態様４９から５１のいずれかに記載の方法。
［実施態様５３］
前記コンプライアンスデータの特定は、患者を識別する患者識別コードに応答性である、実施態様４９から５２のいずれかに記載の方法。